【手続補正書】
【提出日】令和3年3月15日(2021.3.15)
【手続補正１】
【補正対象書類名】明細書
【補正対象項目名】０００８
【補正方法】変更
【補正の内容】
【０００８】
本発明に係る折板屋根被覆構造は、折板をハゼ締めして連結された前記折板の断面において凸部が複数並ぶように形成される折板屋根を覆う、折板屋根被覆構造であって、隣合う２つの前記凸部の間に配置されるバックアップ材と、前記バックアップ材の上方に配置される板状部材と、前記折板屋根の前記凸部の上面に形成されたハゼ部に設置される固定具と、を備え、前記固定具は、前記ハゼ部の上方を覆う様に配置される板状の上板部と、前記上板部の一方の端部から下方に延設された第１の脚部と、前記上板部の他方の端部から下方に延設された第２の脚部と、を備え、前記バックアップ材の上面は、前記固定具の前記上板部の上面よりも上方に位置するように配置され、前記板状部材は、前記固定具の前記上板部に固定される。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明に係る折板屋根被覆構造の設置方法は、折板をハゼ締めして連結された前記折板の断面において凸部が複数並ぶように形成される折板屋根を覆う折板屋根被覆構造の設置方法であって、前記折板屋根の隣合う前記凸部の間に、バックアップ材を配置するバックアップ材配置工程と、前記折板屋根の上面に形成されたハゼ部に固定具を設置する固定具取付工程と、板状部材を前記バックアップ材の上方に前記固定具の上面と前記板状部材との間に隙間が生じるように前記板状部材を配置する板状部材配置工程と、前記板状部材を前記バックアップ材に押し付けた状態で前記折板屋根に固定する工程と、を備える。
【手続補正４】
【補正対象書類名】明細書
【補正対象項目名】００１１
【補正方法】変更
【補正の内容】
【００１１】
本発明に係るバックアップ材は、折板をハゼ締めして連結し前記折板の断面において凸部が複数並ぶように形成される折板屋根の、隣合う前記凸部の間に配置され、上面に板状部材が載置されるバックアップ材であって、前記折板屋根に沿った方向であり前記凸部の延設方向に直交する幅方向における端部の下部が、前記ハゼ部の下部に嵌る嵌合部となっており、前記嵌合部の先端は、前記折板屋根側の角部の断面形状が弧状に形成されている。
【手続補正５】
【補正対象書類名】特許請求の範囲
【補正対象項目名】全文
【補正方法】変更
【補正の内容】
【特許請求の範囲】
【請求項１】
折板をハゼ締めして連結された前記折板の断面において凸部が複数並ぶように形成される折板屋根を覆う、折板屋根被覆構造であって、
隣合う２つの前記凸部の間に配置されるバックアップ材と、
前記バックアップ材の上方に配置される板状部材と、
前記折板屋根の前記凸部の上面に形成されたハゼ部に設置される固定具と、を備え、
前記固定具は、
前記ハゼ部の上方を覆う様に配置される板状の上板部と、
前記上板部の一方の端部から下方に延設された第１の脚部と、
前記上板部の他方の端部から下方に延設された第２の脚部と、を備え、
前記バックアップ材の上面は、
前記固定具の前記上板部の上面よりも上方に位置するように配置され、
前記板状部材は、
前記固定具の前記上板部に固定される、折板屋根被覆構造。
【請求項２】
前記バックアップ材は、
前記折板屋根に沿った方向であり前記凸部の延設方向に直交する幅方向における端部の上部が前記ハゼ部の上方にせり出している、請求項１に記載の折板屋根被覆構造。
【請求項３】
前記バックアップ材は、
前記幅方向において、当該バックアップ材の端部が前記ハゼ部の下部に嵌る嵌合部を備え、
前記嵌合部の先端は、
前記折板屋根側の角部の断面形状が弧状に形成される、請求項２に記載の折板屋根被覆構造。
【請求項４】
前記バックアップ材は、
前記幅方向において当該バックアップ材の一方の端部の上部において前記幅方向に突出する上側凸部と、
前記幅方向において当該バックアップ材の他方の端部の下部において前記幅方向に突出する下側凸部と、を備え、
前記上側凸部は、
前記下側凸部よりも上方に位置する、請求項２又は３に記載の折板屋根被覆構造。
【請求項５】
前記バックアップ材は、
前記折板屋根に沿った方向であり前記凸部の延設方向に直交する幅方向の外周端部に切り欠き部を備え、
前記固定具は、
前記折板屋根の法線方向から見て前記バックアップ材の切り欠き部に囲まれて配置される、請求項１〜４の何れか１項に記載の折板屋根被覆構造。
【請求項６】
前記バックアップ材の前記切り欠き部に嵌り、前記固定具の上方を覆うカバー部材を更に備える、請求項５に記載の折板屋根被覆構造。
【請求項７】
前記板状部材は、
当該板状部材を貫通するビスにより前記折板屋根に固定され、
前記ビスは、
前記固定具に螺合する、請求項１〜６の何れか１項に記載の折板屋根被覆構造。
【請求項８】
前記固定具は、
前記第１の脚部は、
下端で前記第２の脚部側へ屈曲し、前記折板屋根の前記凸部の上面に沿って延び、前記凸部の上面に沿って当接する第１の当接部を備え、
前記第２の脚部は、
前記第１の脚部に向かって貫通する雌ネジが形成されたネジ穴と、
下端で前記第１の脚部から離れる方向に屈曲し、前記折板屋根の前記凸部の上面に沿って延び、前記凸部の上面に沿って当接する第２の当接部と、を備え、
前記第２の脚部と前記第１の当接部の先端との距離は、
前記ハゼ部の幅よりも大きく、
前記ネジ穴は、
ボルトが螺合し、
前記ボルトの先端は、
前記ハゼ部と前記凸部とを繋ぐ首下部に当接する、請求項１〜７の何れか１項に記載の折板屋根被覆構造。
【請求項９】
前記第１の当接部の先端は、
前記ハゼ部と前記凸部の上面との間に位置し、前記首下部に当接する、請求項８に記載の折板屋根被覆構造。
【請求項１０】
前記ボルトは、
前記固定具に対し斜め上方から前記固定具に挿通される、請求項８又は９に記載の折板屋根被覆構造。
【請求項１１】
折板をハゼ締めして連結された前記折板の断面において凸部が複数並ぶように形成される折板屋根を覆う折板屋根被覆構造の設置方法であって、
前記折板屋根の隣合う前記凸部の間に、バックアップ材を配置するバックアップ材配置工程と、
前記折板屋根の上面に形成されたハゼ部に固定具を設置する固定具取付工程と、
板状部材を前記バックアップ材の上方に前記固定具の上面と前記板状部材との間に隙間が生じるように前記板状部材を配置する板状部材配置工程と、
前記板状部材を前記バックアップ材に押し付けた状態で前記折板屋根に固定する工程と、を備える、折板屋根被覆構造の設置方法。
【請求項１２】
前記バックアップ材配置工程は、
前記折板屋根に沿った方向である前記凸部の延設方向に直交する幅方向において、前記バックアップ材の端部に形成された嵌合部を前記ハゼ部の下方に嵌合させる、請求項１１に記載の折板屋根被覆構造の設置方法。
【請求項１３】
前記固定具取付工程は、
前記ハゼ部に沿った前記バックアップ材の前記幅方向の端部に形成された切り欠き部に相当する位置に前記固定具を配置し、前記固定具を前記ハゼ部に固定する、請求項１２に記載の折板屋根被覆構造の設置方法。
【請求項１４】
前記板状部材を前記バックアップ材に押し付けて前記折板屋根に固定する工程は、
ビスを前記板状部材に貫通させ、前記固定具の上面を構成する上板部に螺合させるビス締結工程である、請求項１１に記載の折板屋根被覆構造の設置方法。
【請求項１５】
前記ビス締結工程が完了した後に前記ビスの頭部及び前記板状部材の重ね合わせ部を被覆シートで覆い、前記被覆シートを前記板状部材に貼り付け固定する、請求項１４に記載の折板屋根被覆構造の設置方法。
【請求項１６】
折板をハゼ締めして連結し前記折板の断面において凸部が複数並ぶように形成される折板屋根の、隣合う前記凸部の間に配置され、上面に板状部材が載置されるバックアップ材であって、
前記折板屋根に沿った方向であり前記凸部の延設方向に直交する幅方向における端部の下部が、ハゼ部の下部に嵌る嵌合部となっており、
前記嵌合部の先端は、
前記折板屋根側の角部の断面形状が弧状に形成された、バックアップ材。
【請求項１７】
前記端部の上部は、
前記折板屋根の上面に形成されるハゼ部の上方にせり出すように形成された、請求項１６に記載のバックアップ材。
【請求項１８】
折板をハゼ締めして連結し前記折板の断面において凸部が複数並ぶように形成される折板屋根の、隣合う前記凸部の間に配置され、上面に板状部材が載置されるバックアップ材であって、
前記折板屋根に沿った方向であり前記凸部の延設方向に直交する幅方向における一方の端部の上部に、前記折板屋根の上面に形成されるハゼ部の上方にせり出すように形成された上側凸部と、
前記幅方向の他方の端部において前記幅方向に突出する下側凸部と、を備え、
前記上側凸部は、
前記下側凸部よりも上方に位置する、バックアップ材。
【請求項１９】
折板をハゼ締めして連結し前記折板の断面において凸部が複数並ぶように形成される折板屋根の、隣合う前記凸部の間に配置され、上面に板状部材が載置されるバックアップ材であって、
前記上面に形成された溝を備える、バックアップ材。
【請求項２０】
折板をハゼ締めして連結し前記折板の断面において凸部が複数並ぶように形成される折板屋根の、隣合う前記凸部の間に配置され、上面に板状部材が載置されるバックアップ材であって、
前記折板屋根に沿った方向であり前記凸部の延設方向に直交する幅方向における端部の上部は、
前記折板屋根の上面に形成されるハゼ部の上方にせり出すように形成された、バックアップ材。